(57)【要約】【課題】シャフトユニットの据付け精度が高く、かつＰＣ鋼棒を用いなくても基礎版との結合が強固で、施工期間も短縮できるようにした。【解決手段】本発明方法は、現場打基礎版１４上にプレキャストコンクリート製基礎ユニット１６及びシャフトユニット１８を積上げてエレベータシャフト１０を構築するものにおいて、基礎版１４施工以前に基礎ユニット１６をレベル調整手段３０を介して据付け面２８に水平設置し、次いで基礎ユニット１６の内外に鉄筋３６の配筋と型枠３８の設置を行い、コンクリート打設により、前記基礎ユニット１６を突出状態で一体化した基礎版１４を構築し、コンクリート養生後、基礎ユニット１６上にシャフトユニット１８を積上げる。【選択図】      図２
2004352458.tif 000002
【特許請求の範囲】
【請求項１】
現場打ち基礎版上にプレキャストコンクリート製のシャフトユニットを積上げて互いに接合することにより昇降路構造物を構築するものにおいて、
前記基礎版施工以前に第１段目のシャフトユニットをレベル調整手段を介して据付け面に水平設置し、
次いでシャフトユニットの内外に鉄筋の配筋と型枠設置を行い、コンクリート打設により、前記シャフトユニットを突出状態に一体化した基礎版を構築し、
コンクリート養生後、前記シャフトユニット上に第２段目以降のシャフトユニットを順次積上げることを特徴とする昇降路構造物の構築方法。
【請求項２】
請求項１において、前記１段目のシャフトユニットの下部には複数のＵ型筋及びこれの突出端に交叉状態で一体化されたダボ筋が配筋されていることを特徴とする昇降路構造物の構築方法。
【発明の詳細な説明】
【０００１】
【発明の属する技術分野】
本発明は、例えばエレベータシャフト等の昇降路構造物の施工方法に関する。
【０００２】
【従来の技術】
３〜５階建ての既存中高層住宅には、エレベータが設置されていないものがある。一方、高齢化が急速に進みつつある現代社会では、バリアフリー化に対する要求が大きく、既存の中高層住宅でもエレベータを設置することが強く望まれている。
【０００３】
そこで、複数のプレキャストコンクリート製のエレベータシャフトユニットを予め製作しておき、増築現場にて前記シャフトユニットを積上げて互いに接合するとともに、既存建物の床面を前記エレベータシャフトユニットの出入口部に接続する昇降路構造物（以下エレベータシャフトと称する）の増築方法が開発されている（特許文献１）。
【０００４】
また、このエレベータシャフトの具体的施工方法として、現場打ちの基礎版にＰＣ鋼棒の基部を建て込んでおき、このＰＣ鋼棒を縦通する連通孔を形成したシャフトユニットを順次積上げることによってエレベータシャフトを構築する方法がある（特許文献２）。
【０００５】
後者における基礎版の施工方法を検証すると、図３に示す構造となる。先ず、作業面を確保するためのコンクリート１上に鉄筋を配筋し、その周囲を型枠で囲い、コンクリート打設により基礎版２を構築するが、その前の作業として複数のＰＣ鋼棒３を定着治具などを介して鉛直に立ち上げなければならない。立上げ安定化を図るために、基礎版２には立上がり側壁２ａを鉄筋を介して一体に形成し、ＰＣ鋼棒３の定着端を強固に保持する必要がある。
【０００６】
次いで、現場打ちによるコンクリートの養生後、第一段目のプレキャストシャフトユニット４を立上がり側壁２ａの上部に設置し、以後は、順次、２段目、３段目を積上げることにより、エレベータシャフトが構築される。
【０００７】
【特許文献１】
特開２００１−１９９５６０号公報
【０００８】
【特許文献２】
特開２０００−１８５８８４号公報
【０００９】
【発明が解決しようとする課題】
しかしながら、以上の施工方法では、ＰＣ鋼棒を基礎版内に定着するうえで、その精度確保のために特別な定着治具、仮設設備が必要である。また立上がり側壁などの特殊施工を必要とし、かつＰＣ鋼棒との取合いもあるため、鉄筋の配筋も錯雑なものとなる。
【００１０】
また、プレキャストシャフトユニットの据付け精度は立上がり側壁の施工精度によるため、この部分においては特に精度よく施工しなければならず、手数がかかるものとなっていた。
【００１１】
特にこの種の工事では住民が在宅したまま施工を行わなければならないケースが多く、このため、なるべく工期が短いことが要請されるが、施工に手数を要し、ユニット積上げまでに養生期間などを多く取ることにより工期が長期化するおそれがあり、この場合の住民負担が大きいものとなっていた。
【００１２】
本発明は、以上の課題を解決するもので、その目的は、プレキャストシャフトユニットの据付け精度が高く、かつＰＣ鋼棒を用いなくても基礎版との結合が強固で、施工期間も短縮できるようにしたプレキャストエレベータシャフトの構築方法を提供するものである。
【００１３】
【課題を解決するための手段】
前記目的を達成するため本発明方法は、現場打ち基礎版上にプレキャストコンクリート製のシャフトユニットを積上げて互いに接合することにより昇降路構造物を構築するものにおいて、基礎版施工以前に第１段目のシャフトユニットをレベル調整手段を介して据付け面に水平設置し、次いでシャフトユニットの内外に鉄筋の配筋と型枠設置を行い、コンクリート打設により、前記シャフトユニットを突出し状態に一体化した基礎版を構築し、コンクリート養生後、前記シャフトユニット上に第２段目以降のシャフトユニットを順次積上げることを特徴とするものである。
【００１４】
従って、本発明方法では、シャフトユニットを精度よく据付けることができ、また基礎板の施工も簡単で、特に高い精度を要求されることがない。養生後、第一段目のシャフトユニットは一体化されているため、その分工期を短縮できる。
【００１５】
また、本発明方法では、前記１段目のシャフトユニットの下部には複数のＵ型筋及びこれの突出端に交叉状態で一体化されたダボ筋が配筋されていることにより、現場打の基礎版と当該ユニットとの強固な結合を行うことができる。
【００１６】
【発明の実施の形態】
以下、本発明の好ましい実施の形態につき、添付図面を参照して詳細に説明する。図１は本発明方法が適用されるユニット式プレキャストエレベータシャフトの全体構造を示す。
【００１７】
図１におけるエレベータシャフト１０は、例えば、二世帯１共同階段方式の５階建ての既存建物に増設されるものであり、既存建物の階段位置の外側に対向してエレベータシャフト１０が増築される。
【００１８】
エレベータシャフト１０は、現場施工される基礎版１４上にプレキャストコンクリート（以下ＰＣａと略記する）製の第１段目のシャフトユニットである基礎ユニット１６を一体に設け、このＰＣａ基礎ユニット１６上に、１階〜５階用ＰＣａシャフトユニット１８をそれぞれ連続して積上げ、最上部を既存建物１２の庇２０ａなどに連続するＰＣａ屋根ユニット２０で覆い、さらに、２階〜４階用シャフトユニット１８の上部に踊場など既存の床２２と連通するＰＣａ床パネル２４を連結したものである。
【００１９】
基礎ユニット１６及び各シャフトユニット１８は角筒型をなし、その内側四隅に柱部１６ａ，１８ａを一体に形成し、さらには、各シャフトユニット１８の一側部には出入口用開口部１８ｂを開口させている。これら各ユニット１６，１８はその柱部１６ａ，１８ａの上部に突出する柱主筋２６及び図示しないスリーブジョイントなどを介して一体に接合される。
【００２０】
なお、２階用シャフトユニット１８は他とは異なり、無開口タイプとしている。これは地上階及び各中間階の踊場からエレベータに出入りできるようにエレベータシャフト１０が増築されるためで、中二階では半階分だけ下れば地上階におりることができるからである。
【００２１】
以上における前記基礎版１４と基礎ユニット１６の一体化施工方法を図２に示す。先ず、図２（ａ）において、予め施工された据付け面となる作業面を確保するためのコンクリート２８上に基礎ユニット１６の柱部１６ａの下部に合計四カ所に設けた据付けレベル調整金物３０を介して設置し、これら調整金物３０により水平レベルを調整することで、精度のよい据付けを行うことができる。
【００２２】
また、基礎ユニット１６の柱部１６ａ以外の下部には複数のＵ字型鉄筋３２が突出し、その下部突出端に交叉してダボ筋３４が配筋され、溶接などにより一体に連結されている。
【００２３】
その後、（ｂ），（ｃ）に示すように、基礎板１４の施工位置内外に鉄筋３６を配筋し、型枠３８で囲った後、コンクリートを打設し、養生後、型枠３８を撤去すれば、（ｄ）に示すように基礎ユニット１６を突出状態に一体化した現場打の基礎板１４が構築されることになる。
【００２４】
完成状態では、基礎版１４と基礎ユニット１６とはＵ字型鉄筋３２とダボ筋３４によるアンカー効果により強固に結合するものとなる。
【００２５】
また、基礎版１４の施工方法としては単なる配筋と型枠の設置だけでよいため、特殊作業や作業の繁雑さを伴わず手際よく作業を行え、かつ厳密な精度も要求されないものとなる。
【００２６】
その後、基礎ユニット１６上に順次シャフトユニット１８を継いで行くことにより、エレベータシャフト１０が完成する。
【００２７】
【発明の効果】
以上の説明により明らかなように、本発明によるプレキャスト昇降路構造物の構築方法にあっては、プレキャストシャフトユニットの据付け精度が高く、かつＰＣ鋼棒を用いなくても基礎版との結合が強固で、施工期間も短縮できる。
【図面の簡単な説明】
【図１】本発明方法を適用したユニット式エレベータシャフトを示す分解斜視図である。
【図２】（ａ）〜（ｄ）は本発明の施工手順を示す側断面図である。
【図３】従来のＰＣ鋼棒を用いた基礎板と第一段目のシャフトユニットとの接合構造を示す側断面図である。
【符号の説明】
１０  ユニット式エレベータシャフト（昇降路構造物）
１４  基礎版
１６  基礎ユニット（第１段目のシャフトユニット）
１８  シャフトユニット
２８  布基礎（据付け面）
３０  据付けレベル調整金物
３２  Ｕ字型鉄筋
３４  ダボ筋
３６  鉄筋
３８  型枠
【図１】
2004352458.tif 000003
【図２】
2004352458.tif 000004
【図３】
2004352458.tif 000005